(57)【要約】      （修正有）【課題】広告等と一体式でかつ容易に貼り付けできる目隠しシール付き回答用紙の構造を提供する。【解決手段】紙製平面状で広告等の情報を掲載すると共にその一部に切り離し可能な回答部３を設けた回答用紙１の構造において、回答部が、回答部本体と、回答部本体のいずれかの周縁から外側に延在する目隠しシールと、目隠しシールの片面上に仮接着剤を介して貼着された剥離シート４とを有し、剥離シートを剥離した後、目隠しシールと回答部本体との境界を折返し線３ａ２として目隠しシールを回答部本体の片面上に折り畳むことにより仮接着剤により付着可能である。【選択図】図１
0003117455.tif 000002
【実用新案登録請求の範囲】
【請求項１】
広告等の情報を掲載すると共にその一部に切り離し可能な回答部を設けた回答用紙の構造において、
前記回答部が、回答部本体と、前記回答部本体のいずれかの周縁から外側に延在する目隠しシールと、前記目隠しシールの片面上に仮接着剤を介して貼着された剥離シートとを有し、
前記剥離シートを剥離した後、前記目隠しシールと前記回答部本体との境界を折返し線として該目隠しシールを該回答部本体の片面上に折り畳むことにより、前記仮接着剤により該目隠しシールが該回答部本体の片面上に付着可能であることを特徴とする、広告等と一体式の目隠しシール付き回答用紙の構造。
【考案の詳細な説明】
【技術分野】
【０００１】
本考案は、新規な構成を有する、広告等と一体式の目隠しシール付き回答ハガキ等の回答用紙に関する。
【背景技術】
【０００２】
従来のこの種の技術は、下記のようになっている。
例えば、チラシ広告に回答用ハガキを添付して不特定多数の人々に配り回答用ハガキにより回答を求めようとする場合、個人情報の保護の観点から回答内容を隠すための目隠しシールを別に添付している。
また例えば、特許文献１ではハガキ上に剥離・再貼付可能な目隠しシールを配置している。
【特許文献１】特開２００４−１５４９４０号公報
【考案の開示】
【考案が解決しようとする課題】
【０００３】
従来の技術には、一応下記のような問題点を指摘することができる。
・チラシ広告と回答用ハガキのほかに目隠しシールを別に用意しなければならないため、手間が掛かかると共に、コスト高が避けられない。
・目隠しシールを回答用ハガキにおける回答欄に貼り付ける際、位置ずれを起こす場合がある。そのため、貼り付け作業に神経を使うのが一般的である。
・スーパーやファミリーレストランなどにアンケート用紙やクレーム用紙（お客様の声）として店内に置かれている用紙には、個人情報の保護がなされていない。
・特許文献１のようにハガキ上に目隠しシールを配置すると、ハガキに掲載する情報内容及びその配置が制限される。
【０００４】
以上の現状に鑑み、個人情報の保護の観点から、本考案の回答用ハガキまたは広い概念では回答用紙により、回答する情報主体に安心感を与えるため、回答用ハガキに対する保護シールの存在と、更に保護シールの使用方法を手貼方法であることを明確化しようとすることを目的とする。具体的にこれを実現するべく、広告等と一体式の目隠しシール付き回答用紙の構造を提供することを目的とする。
【課題を解決するための手段】
【０００５】
本考案は、上述のような問題を解決するため、下記のようになるものである。
請求項１に係る考案は、広告等の情報を掲載すると共にその一部に切り離し可能な回答部を設けた回答用紙の構造において、前記回答部が、回答部本体と、前記回答部本体のいずれか周縁から外側に延在する目隠しシールと、前記目隠しシールの片面上に仮接着剤を介して貼着された剥離シートとを有し、前記剥離シートを剥離した後、前記目隠しシールと前記回答部本体との境界を折返し線として該目隠しシールを該回答部本体の片面上に折り畳むことにより、前記仮接着剤により該目隠しシールが該回答部本体の片面上に付着可能であることを特徴とする。
【０００６】
なお、「回答用紙」は、好適例であって本考案の適用対象を単に「回答」を行うものに限定するものではなく、アンケート回答用紙、テストの解答用紙、種々の申込用紙、投書用紙、クレーム用紙、申請用紙等を含み、特に、個人情報を記載する全ての用紙を含む。
【考案の効果】
【０００７】
本考案による広告等と一体式の目隠しシール付き回答用紙の構造は、上述のように構成されているので、下記のような効果を期待することができる。
（１）チラシ広告等の広告等情報を掲載する回答用紙が、その一部に回答用ハガキ等の回答部本体及び目隠しシールからなる回答部を切り離し可能に一体式で設けているため、用紙が１枚で済み経済的である。
（２）目隠しシールは回答用ハガキ等の回答部本体と連結されており折返し線により折り畳むことにより回答用紙本体の片面上に付着させるので、目隠しシールを貼り付ける際に位置ずれが起こらない。よって、簡単な作業により容易に位置ずれを防ぐことができる。
【０００８】
（３）質問と回答の付いたアンケート付き広告ハガキの場合、アンケートの回答を記入する回答用ハガキ等の回答部本体と連結された目隠しシールを使用することにより、お客様が安心してその場ですぐに情報を隠すことができる。
（４）また、本考案のものを個人情報保護の付いた用紙として使用することは、企業の個人情報保護に対する取り組みが評価されイメージアップとなる。
（５）回答の記入がテストの解答用紙として構成されている場合でも容易に隠すことができる。
（６）本考案による広告等と一体式の目隠しシール付き回答用紙は、今までの広告宣伝の環境を大きく変える印刷媒体である。
【考案を実施するための最良の形態】
【０００９】
図面を参照して実施の形態の詳細を説明する。
図１は、本考案による広告等と一体式の目隠しシール付き回答用紙の構造の実施形態の一例を示す表面側の全体斜視図である。図２は、図１に対応する裏面側の全体斜視図である。図３は、部分展開図である。
【００１０】
なお、「回答用紙」は、好適例であって本考案の適用対象を単に「回答」を行うものに限定するものではなく、広告等の情報を掲載すると共に種々の目的の返答及び返信用部分を設けたものであれば全てを含まれる。アンケート回答用紙、テストの解答用紙、種々の申込用紙、投書用紙、クレーム用紙、申請用紙等を含み、特に、個人情報を記載する全ての用紙が含まれる。図示の例では、回答用紙全体がチラシ広告であり、回答部に回答用ハガキと目隠しシールとを設けている。
【００１１】
図１及び図２に示すように、１は本考案のチラシ広告である。その構成は、広告部２と回答部３と剥離シート４から構成されている。広告部２は、所望寸法の紙面２ａの表裏に設けられた表面広告面２ｂと裏面広告面２ｃから構成されている。
なお、表面広告面２ｂと裏面広告面２ｃには、所望する広告記事２ｂ１、２ｃ１が表記されている。尚、「表面」と「裏面」は、説明の便宜上このように称するが、広告等の情報の内容に関連して表裏を意味するものではない。
【００１２】
回答部３は、図２の裏面に示すように、返信用面３ａに回答部本体である回答用ハガキ３ｂと、目隠しシールの片面である目隠し面３ｃを設けて構成されている。返信用面３ａは、上記広告部２における所定位置に刻設した切り取り用ミシン穴３ａ１（図示では広告部２における縦ミシン穴となっている）により切り離し可能に形成されている。
【００１３】
回答用ハガキ３ｂは、返信用面３ａにおける所定位置に刻設した折り畳み用ミシン穴３ａ２（図示では広告部２における横ミシン穴となっている）で仕切られた一方面に形成されている。この回答用ハガキ３ｂには、回答記入欄３ｂ１が設けられている。回答記入欄３ｂ１には、たとえば、懸賞応募やアンケートなどに対応する事項が記載されている。
【００１４】
図４は、図２に示したシール付き回答用紙の回答部３の一部切り欠き要部拡大図である。
目隠し面３ｃは、上記折り畳み用ミシン穴３ａ２で仕切られた他方面に形成されている。この結果、回答用ハガキ３ｂと目隠し面３ｃは、折り畳み用ミシン穴３ａ２を中心として隣接した状態になっている。言い換えるならば、回答用ハガキ３ｂのいずれかの周縁上を折返し線として、その周縁から外側に目隠し面３ｃが延在している。
この目隠し面３ｃは、回答用ハガキ３ｂの回答記入欄３ｂ１を上面から覆うことができる寸法に構成されていると共に、中身が透けないように地紋などの印刷３ｃ１が施され、かつ仮接着材３ｃ２が塗布されている。
【００１５】
ここで、再び図１〜図３を参照すると、剥離シート４は、目隠し面３ｃを上面から覆うことができる寸法に構成されていると共に、上記目隠し面３ｃの上面に剥離自在に積層されている。図４に示すように、剥離シート４は、目隠し面３ｃ上すなわち目隠しシールの片面上に仮接着剤３ｃ２を介して貼着されている。
【００１６】
以上は、回答用紙の一部に切り離し可能に設けた回答部３の回答部本体３ｂが回答用ハガキの場合で説明したが、下記のようにすることができる。
・回答用ハガキに代えて店舗でのアンケート等の回答用紙とする。この場合には、郵送ではなく回収箱などに入れることになる。
・回答用ハガキに代えて試験問題の解答用紙とする。この場合には、広告部２には例えば入社試験の問題が記載されることは当然である。
【００１７】
本考案による広告等と一体式の目隠しシール付き回答用紙の使用方法は下記の通りである。
（１）広告面を見る。
（２）切り取り用ミシン穴３ａ１から回答部３を切り離す。
（３）回答記入欄３ｂ１に必要事項を記入する。
（４）剥離シート４を剥がす。
（５）目隠し面３ｃを折り畳み用ミシン穴３ａ２に沿って折り曲げる。
（６）目隠し面３ｃを回答記入欄にしっかりと貼り付け仮接着剤で付着させることにより情報を隠す。
（７）回答用ハガキ（回答用用紙）を提出する。
（８）その後、提出先において、仮接着剤により付着された目隠し面３ｃと回答記入欄３ｂ１とは、回答記入欄３ｂ１を損なうことなく容易に分離することができる。
【００１８】
尚、図５は、上記使用方法の説明のステップ（６）で完成した最終状態の斜視図である。
【００１９】
図６は、本考案の他の実施例を示す平面図である。
図６（Ａ）は、回答用ハガキ３ｂと目隠し面３ｃ（剥離シール４）とを、回答用紙１の右下部分に設けた例である。
図６（Ｂ）は、回答用ハガキ３ｂと目隠し面３ｃ（剥離シール４）とを、回答用紙１の下方部分に設けた例である。
【実施例】
【００２０】
具体的実施例としては、広告付き懸賞ハガキ、広告付き申し込み用紙、広告付きお客様照会ハガキ（カード）などに使用可能である。
広告付き懸賞ハガキの場合は、懸賞（キャンペーン）に対して情報主体が自ら申し込みをする。
広告付き申し込み用紙の場合は、情報主体が自ら加入するために申し込む。
広告付きお客様紹介ハガキ（カード）の場合は、情報主体に対して紹介者が申し込む。
【図面の簡単な説明】
【００２１】
【図１】全体を表面からみた斜視図である。
【図２】全体を裏面からみた斜視図である。
【図３】同上の分解斜視図である。
【図４】図２における一部をからみた斜視図である切り欠いた要部拡大図である。
【図５】最終使用状態を示す斜視図である。
【図６】（Ａ）及び（Ｂ）はそれぞれ他の実施例に関する図である。
【符号の説明】
【００２２】
１  回答用紙
２  広告部
３  回答部
３ａ  回答部片面
３ａ１  切り取り用ミシン穴
３ａ２  折り畳み用ミシン穴
３ｂ  回答部本体（回答用ハガキ）
３ｃ  目隠し面（目隠しシール片面）
４  剥離シール
【図１】
0003117455.tif 000003
【図２】
0003117455.tif 000004
【図３】
0003117455.tif 000005
【図４】
0003117455.tif 000006
【図５】
0003117455.tif 000007
【図６】
0003117455.tif 000008